(57)【要約】【課題】画素構造を複雑にすることなく、かつ、製造コストを上昇させることなく、画質の低下を防ぐことを可能とする。【解決手段】制御回路４０は、２Ｄ表示を行う場合には、選択信号Ｓ１を所定期間においてアクティブとし、選択信号Ｓ１を非アクティブとした後に、選択信号Ｓ２を所定期間においてアクティブとする。以下、同様に、選択信号Ｓ２、Ｓ３をアクティブとする。制御回路４０は、３Ｄ表示を行う場合には、所定のタイミングで選択信号Ｓ１をアクティブとし、選択信号Ｓ１のアクティブ期間中に、選択信号Ｓ２をアクティブとして、選択信号Ｓ１に対応する信号線１４と、選択信号Ｓ２に対応する信号線１４との選択期間の一部に重複期間が生じるように選択信号を出力する。以下、同様に、それぞれの選択信号に対応する信号線１４との選択期間の一部に重複期間が生じるように選択信号を出力する。【選択図】図２
2015079173.tif 000002
【特許請求の範囲】
【請求項１】
複数の走査線と、
複数の信号線と、
前記複数の走査線および前記複数の信号線の交差に各々対応して設けられた画素と、
垂直走査周波数に応じたタイミングで前記走査線を選択する走査線駆動部と、
少なくとも表示すべき階調に応じた大きさのデータ電圧が時分割多重された画像信号を前記画素に前記信号線を介して供給する信号線駆動部と、
制御信号に応じて、前記画像信号を供給する前記信号線を選択する信号線選択部と、
垂直走査周波数を第１の周波数と、該第１の周波数よりも高い第２の周波数に切り替え可能な制御部とを備え、
前記制御部は、前記垂直走査周波数を前記第１の周波数に切り替える場合には、一の前記信号線の選択期間の終了後に他の前記信号線を選択するように前記制御信号を出力し、前記垂直走査周波数を前記第２の周波数に切り替える場合には、一の前記信号線の選択中に、他の前記信号線を選択し、前記信号線の選択期間の一部に重複期間が生じるように前記制御信号を出力する、
ことを特徴とする電気光学装置。
【請求項２】
前記信号線駆動部は、１垂直走査期間ごとに前記画像信号の極性を前記画素の基準となる電位に対して反転させることを特徴とする請求項１に記載の電気光学装置。
【請求項３】
前記信号線駆動部は、前記制御部の制御により、右眼用画像の前記画像信号と左眼用画像の前記画像信号とを表示期間毎に交互に供給する立体視画像用駆動と、右眼と左眼に共通な画像の前記画像信号を供給する平面視画像用駆動とに切り替え可能であり、
前記制御部は、前記信号線駆動部を前記平面視画像用駆動に切り替える場合には、前記垂直走査周波数を前記第１の周波数に切り替え、前記信号線駆動部を前記立体視画像用駆動に切り替える場合には、前記垂直走査周波数を前記第２の周波数に切り替えることを特徴とする請求項１または請求項２に記載の電気光学装置。
【請求項４】
少なくとも第１輝度と該第１輝度よりも高い第２輝度に輝度調節の可能な光源と、
前記電気光学装置の設置環境における輝度を検知する輝度検知部とを更に備え、
前記制御部は、前記輝度検知部によって検知した前記設置環境における輝度が、基準となる第３輝度よりも低い場合には、前記光源の輝度を前記第１輝度に切り替えると共に、前記垂直走査周波数を前記第１の周波数に切り替え、前記輝度検知部によって検知した前記設置環境における輝度が、前記第３輝度以上の場合には、前記光源の輝度を前記第２輝度に切り替えると共に、前記垂直走査周波数を前記第２の周波数に切り替える、ことを特徴とする電気光学装置。
【請求項５】
前記信号線駆動部は、少なくとも、前記画素に前記データ電圧を供給する前のプリチャージ期間において、前記信号線にプリチャージ電圧を供給し、
前記制御部は、前記プリチャージ期間において、全ての前記信号線を選択する前記制御信号を出力することを特徴とする請求項１乃至請求項４のいずれか一に記載の電気光学装置。
【請求項６】
前記走査線駆動部は、前記プリチャージ期間に、前記スイッチング素子をオン状態とする前記走査信号を前記走査線に供給することを特徴とする請求項５に記載の電気光学装置。
【請求項７】
前記信号線駆動部は、前記プリチャージ期間と、一水平走査期間に最初に選択する前記信号線の選択期間との全期間において、当該最初に選択する前記信号線を選択する前記制御信号を出力することを特徴とする請求項５または請求項６に記載の電気光学装置。
【請求項８】
前記信号線駆動部は、前記制御信号による前記信号線の選択の順序を随時変更することを特徴とする請求項１乃至請求項７のいずれか一に記載の電気光学装置。
【請求項９】
複数の走査線と、複数の信号線と、前記複数の走査線および前記複数の信号線の交差に各々対応して設けられた画素とを備える電気光学装置の制御方法であって、
垂直走査周波数に応じたタイミングで前記走査線を選択し、
少なくとも表示すべき階調に応じた大きさのデータ電圧が時分割多重された画像信号を前記画素に前記信号線を介して供給し、
制御信号に応じて、前記画像信号を供給する前記信号線を選択し、
前記垂直走査周波数を第１の周波数と、該第１の周波数よりも高い第２の周波数に切り替え可能とし、
前記垂直走査周波数を前記第１の周波数に切り替える場合には、一の前記信号線の選択期間の終了後に他の前記信号線を選択するように前記制御信号を出力し、
前記垂直走査周波数を前記第２の周波数に切り替える場合には、一の前記信号線の選択中に、他の前記信号線を選択し、前記信号線の選択期間の一部に重複期間が生じるように前記制御信号を出力する、
ことを特徴とする電気光学装置の制御方法。
【請求項１０】
請求項１乃至請求項８のいずれか一に記載の電気光学装置を備えることを特徴とする電子機器。
【発明の詳細な説明】
【技術分野】
【０００１】
本発明は、例えば液晶装置等の電気光学装置、電気光学装置の駆動方法、及び、該電気光学装置を備えて構成される例えば液晶プロジェクタ等の電子機器の技術分野に関する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１のような右眼用画像および左眼用画像を交互に表示する立体視（３Ｄ）表示では、画像表示のフレーム周波数を平面視（２Ｄ）表示の２倍以上となるように画像信号の転送速度や駆動回路の動作速度を高速化する必要がある。例えば、平面視（２Ｄ）表示では、６０Ｈｚのフレーム周波数が用いられているが、立体視（３Ｄ）表示では、フレーム周波数（垂直走査周波数）を１２０Ｈｚとする倍速駆動が採用されている。
【０００６】
倍速駆動を採用した場合には、一つの信号線の選択期間が短くなり、画素に対する表示データ信号の書き込みに支障が生じ、画質が低下するという問題がある。そこで、従来は、例えば駆動用ＩＣを４個または６個使用し、水平方向及び垂直方向とも２個または３個ずつの駆動用ＩＣで分担して駆動することで、選択時間が短くならないようにしている。
【０００７】
しかしながら、駆動用ＩＣを４個または６個使用する場合には、製造コストが上昇するという問題がある。また、駆動用ＩＣを４個または６個使用する場合には、一つの画素行当たりの信号線を２本配線することが必要になり、画素構造が複雑になる。駆動用ＩＣを増やさない場合には、一つの信号線の選択期間が短くなり、画素に対する表示データ信号の書き込みに支障が生じ、画質が低下するという問題がある。
【０００８】
本発明は、例えば上記問題点に鑑みてなされたものであり、画素構造を複雑にすることなく、かつ、製造コストを上昇させることなく、画質の低下を防ぐことが可能な通常の速度の駆動と倍速駆動との切り替えを行う電気光学装置、電気光学装置の駆動方法、及び該電気光学装置を備えた電子機器を提供することを課題とする。
【課題を解決するための手段】
【０００９】
上記課題を解決するために本発明の電気光学装置の一態様は、複数の走査線と、複数の信号線と、前記複数の走査線および前記複数の信号線の交差に各々対応して設けられた画素と、垂直走査周波数に応じたタイミングで前記走査線を選択する走査線駆動部と、少なくとも表示すべき階調に応じた大きさのデータ電圧が時分割多重された画像信号を前記画素に前記信号線を介して供給する信号線駆動部と、制御信号に応じて、前記画像信号を供給する前記信号線を選択する信号線選択部と、垂直走査周波数を第１の周波数と、該第１の周波数よりも高い第２の周波数に切り替え可能な制御部とを備え、前記制御部は、前記垂直走査周波数を前記第１の周波数に切り替える場合には、一の前記信号線の選択期間の終了後に他の前記信号線を選択するように前記制御信号を出力し、前記垂直走査周波数を前記第２の周波数に切り替える場合には、一の前記信号線の選択中に、他の前記信号線を選択し、前記信号線の選択期間の一部に重複期間が生じるように前記制御信号を出力することを特徴とする電気光学装置。
【００１０】
この態様によれば、走査線駆動部により走査線に走査信号が供給され、信号線駆動部により少なくとも表示すべき階調に応じた大きさのデータ電圧が時分割多重された画像信号が信号線を介して画素に供給される。この際、画像信号を供給する信号線は、制御信号に応じて信号線選択部により選択されるが、制御部は、垂直走査周波数を第１の周波数に切り替える場合には、一の信号線の選択期間の終了後に他の信号線を選択するように制御信号を出力する。したがって、他の信号線に対応する画素は、一の信号線に対応する画素の電位の影響を受けることなく高画質の表示が行われる。また、制御部は、垂直走査周波数を第１の周波数よりも高い第２の周波数に切り替える場合には、一の信号線の選択中に、他の信号線を選択し、信号線の選択期間の一部に重複期間が生じるように制御信号を出力する。したがって、一画素当たりのデータ電圧の書き込み時間が短くなる場合でも、データ電圧の書き込みのための信号線の選択期間の一部に重複期間が生じるので、画素に対してデータ電圧の書き込み時間を十分に確保することができ、画質を向上させる。
【００１１】
上述した電気光学装置の一態様において、信号線駆動部は、１垂直走査期間ごとに画像信号の極性を画素の基準となる電位に対して反転させるようにしてもよい。このような駆動を行い、垂直走査周波数を第１の周波数よりも高い第２の周波数に切り替える場合には、一画素当たりのデータ電圧の書き込み時間が短くなるが、データ電圧の書き込みのための信号線の選択期間の一部に重複期間が生じるので、画素に対してデータ電圧の書き込み時間を十分に確保することができ、画質を向上させる。
【００１２】
上述した電気光学装置の一態様において、前記信号線駆動部は、前記制御部の制御により、右眼用画像の前記画像信号と左眼用画像の前記画像信号とを表示期間毎に交互に供給する立体視画像用駆動と、右眼と左眼に共通な画像の前記画像信号を供給する平面視画像用駆動とに切り替え可能であり、前記制御部は、前記信号線駆動部を前記平面視画像用駆動に切り替える場合には、前記垂直走査周波数を前記第１の周波数に切り替え、前記信号線駆動部を前記立体視画像用駆動に切り替える場合には、前記垂直走査周波数を前記第２の周波数に切り替えるようにしてもよい。この態様によれば、制御部は、信号線駆動部を平面視画像用駆動に切り替える場合には、垂直走査周波数を第１の周波数に切り替え、一の信号線の選択期間の終了後に他の信号線を選択するように制御信号を出力する。したがって、平面視画像が表示される際には、他の信号線に対応する画素は、一の信号線に対応する画素の電位の影響を受けることなく高画質の表示が行われる。また、制御部は、信号線駆動部を立体視画像用駆動に切り替える場合には、垂直走査周波数を第２の周波数に切り替え、一の信号線の選択中に、他の信号線を選択し、信号線の選択期間の一部に重複期間が生じるように制御信号を出力する。したがって、右眼用画像の画像信号と左眼用画像の画像信号とを表示期間毎に交互に供給する立体視画像用駆動を行い、一画素当たりのデータ電圧の書き込み時間が短くなる場合でも、データ電圧の書き込みのための信号線の選択期間の一部に重複期間が生じるので、画素に対してデータ電圧の書き込み時間を十分に確保することができ、画質を向上させる。
【００１３】
上述した電気光学装置の一態様において、少なくとも第１輝度と該第１輝度よりも高い第２輝度に輝度調節の可能な光源と、前記電気光学装置の設置環境における輝度を検知する輝度検知部とを更に備え、前記制御部は、前記輝度検知部によって検知した前記設置環境における輝度が、基準となる第３輝度よりも低い場合には、前記光源の輝度を前記第１輝度に切り替えると共に、前記垂直走査周波数を前記第１の周波数に切り替え、前記輝度検知部によって検知した前記設置環境における輝度が、前記第３輝度以上の場合には、前記光源の輝度を前記第２輝度に切り替えると共に、前記垂直走査周波数を前記第２の周波数に切り替えるようにしてもよい。この態様によれば、制御部は、輝度検知部によって検知した前記設置環境における輝度が、基準となる第３輝度よりも低い場合には、光源の輝度を第１輝度に切り替えると共に、垂直走査周波数を第１の周波数に切り替え、一の信号線の選択期間の終了後に他の信号線を選択するように制御信号を出力する。したがって、電気光学装置が比較的暗い場所に設置されている場合には、他の信号線に対応する画素は、一の信号線に対応する画素の電位の影響を受けることなく高画質の表示が行われる。また、制御部は、輝度検知部によって検知した前記設置環境における輝度が、第３輝度以上の場合には、光源の輝度を第２輝度に切り替え、垂直走査周波数を第２の周波数に切り替える。そして、制御部は、一の信号線の選択中に、他の信号線を選択し、信号線の選択期間の一部に重複期間が生じるように制御信号を出力する。したがって、電気光学装置が比較的明るい場所に設置されている場合には、フリッカを抑えるために垂直走査周波数が第２の周波数に切り替えられ、一画素当たりのデータ電圧の書き込み時間が短くなるが、データ電圧の書き込みのための信号線の選択期間の一部に重複期間が生じるので、画素に対してデータ電圧の書き込み時間を十分に確保することができ、画質を向上させる。
【００１４】
上述した電気光学装置の一態様において、前記信号線駆動部は、少なくとも、前記画素に前記データ電圧を供給する前のプリチャージ期間において、前記信号線にプリチャージ電圧を供給し、前記制御部は、前記プリチャージ期間において、全ての前記信号線を選択する前記制御信号を出力するようにしてもよい。この態様によれば、画素からのリークによる影響を防止して、輝度むら、あるいは縦クロストークを防止することができる。
【００１５】
上述した電気光学装置の一態様において、前記走査線駆動部は、前記プリチャージ期間に、前記スイッチング素子をオン状態とする前記走査信号を前記走査線に供給するようにしてもよい。この態様によれば、画素からのリークによる影響を防止して、輝度むら、あるいは縦クロストークを防止することができる。
【００１６】
上述した電気光学装置の一態様において、前記信号線駆動部は、前記プリチャージ期間と、一水平走査期間に最初に選択する前記信号線の選択期間との全期間において、当該最初に選択する前記信号線を選択する前記制御信号を出力するようにしてもよい。この態様によれば、信号線に対するプリチャージ電圧の書き込みにより画素からのリークによる影響を防止して、輝度むら、あるいは縦クロストークを防止すると共に、画素に対してデータ電圧の書き込み時間を十分に確保することができ、画質を向上させる。
【００１７】
上述した電気光学装置の一態様において、前記信号線駆動部は、前記制御信号による前記信号線の選択の順序を随時変更するようにしてもよい。この態様によれば、重複期間に選択される信号線のうち、先に選択される信号線に対応する画素のデータ電圧による、後に選択される信号線に対応する画素への影響を均一化することができる。
【００１８】
本発明に係る電気光学装置の制御方法の一態様は、複数の走査線と、複数の信号線と、前記複数の走査線および前記複数の信号線の交差に各々対応して設けられた画素とを備える電気光学装置の制御方法であって、垂直走査周波数に応じたタイミングで前記走査線を選択し、少なくとも表示すべき階調に応じた大きさのデータ電圧が時分割多重された画像信号を前記画素に前記信号線を介して供給し、制御信号に応じて、前記画像信号を供給する前記信号線を選択し、垂直走査周波数を第１の周波数と、該第１の周波数よりも高い第２の周波数に切り替え可能とし、前記垂直走査周波数を前記第１の周波数に切り替える場合には、一の前記信号線の選択期間の終了後に他の前記信号線を選択するように前記制御信号を出力し、前記垂直走査周波数を前記第２の周波数に切り替える場合には、一の前記信号線の選択中に、他の前記信号線を選択し、前記信号線の選択期間の一部に重複期間が生じるように前記制御信号を出力することを特徴とする。
【００１９】
次に、本発明に係る電子機器は、上述した本発明に係る電気光学装置を備える。そのような電子機器は、液晶ディスプレイ等の表示装置において、高解像度化により、一画素当たりのデータ電圧の書き込み時間が短くなる場合でも、データ電圧の書き込みのための信号線の選択期間の一部に重複期間が生じるので、画素に対してデータ電圧の書き込み時間を十分に確保することができ、画質を向上させることができる。
【図面の簡単な説明】
【００２０】
【図１】本発明の第１実施形態に係る電気光学装置の説明図である。
【図２】同実施形態に係る電気光学装置の構成を示すブロック図である。
【図３】画素の構成を示す回路図である。
【図４】同実施形態に係る電気光学装置の動作を示すタイミングチャートである。
【図５】同実施形態に係る電気光学装置の動作を示すタイミングチャートである。
【図６】本発明の第２実施形態に係る電気光学装置のブロック図である。
【図７】本発明の第３実施形態に係る電気光学装置の動作を示すタイミングチャートである。
【図８】本発明の第４実施形態に係る電気光学装置の動作を示すタイミングチャートである。
【図９】変形例に係る電気光学装置の動作を示すタイミングチャートである。
【図１０】電子機器の一例を示す説明図である。
【図１１】電子機器の他の例を示す説明図である。
【図１２】電子機器の他の例を示す説明図である。
【発明を実施するための形態】
【００２１】
＜第１実施形態＞
図１は電気光学装置１に対する信号伝送系の構成を示す図である。図１に示すように、電気光学装置１は、電気光学パネル１００と、駆動用集積回路２００と、フレキシブル回路基板３００とを備え、電気光学パネル１００が、駆動用集積回路２００の搭載されたフレキシブル回路基板３００に接続されている。電気光学パネル１００は、このフレキシブル回路基板３００および駆動用集積回路２００を介して、図示しないホストＣＰＵに接続されている。ここで、駆動用集積回路２００は、ホストＣＰＵからフレキシブル回路基板３００を介して画像信号および駆動制御のための各種の制御信号を受信し、フレキシブル回路基板３００を介して電気光学パネル１００を駆動する装置である。
【００２２】
図２は、電気光学パネル１００及び駆動用集積回路２００の構成を示すブロック図である。図２に示すように、電気光学パネル１００は、画素部１０と、走査線駆動部としての走査線駆動回路２２と、信号線選択部としてのＪ個のデマルチプレクサー５７[１１]〜５７[Ｊ]とを備えている。駆動用集積回路２００は、信号線駆動部としてのデータ線駆動回路３０と、制御部としての制御回路４０とを備えている。
【００２３】
画素部１０には、相互に交差するＭ本の走査線１２とＮ本の信号線１４とが形成されている（Ｍ，Ｎは自然数）。複数の画素回路ＰＩＸは、各走査線１２と各信号線１４との交差に対応して設けられており、縦Ｍ行×横Ｎ列の行列状に配列されている。
【００２４】
図３は、各画素回路ＰＩＸの回路図である。図３に示すように、各画素回路ＰＩＸは、液晶素子６０とＴＦＴ等のスイッチング素子ＳWとを含む。液晶素子６０は、相互に対向する画素電極６２およびコモン電極６４と両電極間の液晶６６とで構成された電気光学素子である。画素電極６２とコモン電極６４との間の印加電圧に応じて液晶６６の透過率（表示階調）が変化する。なお、液晶素子６０に並列に補助容量を接続した構成も採用され得る。スイッチング素子ＳWは、例えば、走査線１２にゲートが接続されたＮチャネル型のトランジスターで構成され、液晶素子６０と信号線１４との間に設けられ両者の電気的な接続（導通／絶縁）を制御する。走査信号Ｙ[m]が選択電位に設定されることで第ｍ行の各画素回路ＰＩＸにおけるスイッチング素子ＳWが同時にオン状態に遷移する。
【００２５】
画素回路ＰＩＸに対応する走査線１２が選択され、当該画素回路ＰＩＸのスイッチング素子ＳWがオン状態に制御されたとき、当該画素回路ＰＩＸの液晶素子６０には、信号線１４から当該画素回路ＰＩＸに供給される画像信号Ｄ[n]に応じた電圧が印加され、当該画素回路ＰＩＸの液晶６６は、画像信号Ｄ[n]に応じた透過率に設定される。また、図示しない光源がオン（点灯）状態となり、光源から光が出射されると、当該光は、画素回路ＰＩＸが備える液晶素子６０の液晶６６を透過して、観察者側に進行する。すなわち、液晶素子６０に画像信号Ｄ[n]に応じた電圧が印加され、且つ、光源がオン状態となることで、当該画素回路ＰＩＸに対応する画素は、画像信号Ｄ[n]に応じた階調を表示することになる。
【００２６】
画素回路ＰＩＸの液晶素子６０に画像信号Ｄ[n]に応じた電圧が印加された後、スイッチング素子ＳWがオフ状態となると、理想的には当該画像信号Ｄ[n]に対応する印加電圧が保持される。従って、理想的には、各画素は、スイッチング素子ＳWがオン状態となった後から、次にオン状態となるまでの期間において、画像信号Ｄ[n]に応じた階調を表示する。
【００２７】
図３に示すように、信号線１４と画素電極６２との間（または、信号線１４と、画素電極６２及びスイッチング素子ＳWを電気的に接続する配線との間）には、容量Ｃａが寄生する。そのため、スイッチング素子ＳWがオフ状態である間に、信号線１４の電位変動が容量Ｃａを介して画素電極６２に伝播し、液晶素子６０の印加電圧が変動することがある。
【００２８】
また、コモン電極６４には、図示しないコモン線を介して、一定の電圧であるコモン電圧ＬＣＣＯＭが供給される。コモン電圧ＬＣＣＯＭとしては、画像信号Ｄ[n]の中心電圧を０Ｖとしたとき−０．５Ｖ程度の電圧が用いられる。
【００２９】
本実施形態では、いわゆる焼き付きを防止するため、液晶素子６０に印加する電圧の極性を所定周期、例えば１フレームごとに反転する極性反転駆動を採用する。この例では、信号線１４を介して画素回路ＰＩＸに供給する画像信号Ｄ[n]のレベルを、画像信号Ｄ[n]の中心電圧に対して単位期間ごとに反転する。単位期間は、画素回路ＰＩＸを駆動する動作の１単位となる期間である。この例では、単位期間は垂直走査期間、つまり１フレーム期間となっている。但し、単位期間は任意に設定することができ、例えば、垂直走査期間の自然数倍であってもよい。本実施形態においては、画像信号Ｄ[n]が画像信号Ｄ[n]の中心電圧に対して高電圧となる場合を正極性とし、画像信号Ｄ[n]が画像信号Ｄ[n]の中心電圧に対して低電圧となる場合を負極性とする。
【００３０】
説明を図２に戻す。制御回路４０は、図示しない外部の装置より入力される垂直同期信号Ｖｓ、水平同期信号Ｈｓ、ドットクロック信号ＤＣＬＫ等の外部信号に基づいて、走査線駆動回路２２、データ線駆動回路３０を同期制御する。この同期制御の下、走査線駆動回路２２及びデータ線駆動回路３０は、互いに協働して画素部１０の表示制御を行う。
【００３１】
走査線駆動回路２２は、走査信号Ｇ［１］〜Ｇ［Ｍ］をＭ本の走査線１２の各々に出力する。走査線駆動回路２２は、制御回路４０から水平同期信号Ｈｓが出力されるのに応じて、各走査線１２に対する走査信号Ｇ［１］〜Ｇ［Ｍ］を一水平走査期間Ｈずつ順次アクティブレベルとする。
【００３２】
ここで、第ｍ行に対応した走査信号Ｇ［ｍ］がアクティブレベルであり、当該行に対応した走査線が選択されている期間は、第ｍ行のＮ個の画素回路ＰＩＸの各スイッチング素子ＳWがＯＮ状態となり、これらのスイッチング素子ＳWを各々介してＮ本の信号線１４が第ｍ行のＮ個の画素回路ＰＩＸの各画素電極６２に各々接続される。
【００３３】
画素部１０内のＮ本の信号線１４は、相隣接する４本を単位としてＪ個の配線ブロックＢ［１］〜Ｂ［Ｊ］に区分されている（Ｊ＝Ｎ／４）。デマルチプレクサー５７[１１]〜５７[Ｊ]は、このＪ個の配線ブロックＢ［１］〜Ｂ［Ｊ］に各々対応している。
【００３４】
デマルチプレクサー５７［ｊ］（ｊ＝１〜Ｊ）の各々は、４個のスイッチ５８［１］〜５８［４］により構成されている。デマルチプレクサー５７［ｊ］（ｊ＝１〜Ｊ）の各々において、４個のスイッチ５８［１］〜５８［４］の各々の一方の接点は共通接続されている。そして、デマルチプレクサー５７［ｊ］（ｊ＝１〜Ｊ）の各々の４個のスイッチ５８［１］〜５８［４］の一方の接点の共通接続点は、Ｊ本の信号線１５に各々接続されている。このＪ本の信号線１５は、フレキシブル回路基板３００を介して駆動用集積回路２００のデータ線駆動回路３０に接続されている。また、デマルチプレクサー５７［ｊ］（ｊ＝１〜Ｊ）の各々において、４個のスイッチ５８［１］〜５８［４］の各々の他方の接点は、当該デマルチプレクサー５７［ｊ］に対応した配線ブロックＢ［ｊ］を構成する４本の信号線１４に各々接続されている。
【００３５】
各デマルチプレクサー５７［ｊ］（ｊ＝１〜Ｊ）の４個のスイッチ５８［１］〜５８［４］のＯＮ／ＯＦＦは、４個の選択信号Ｓ１〜Ｓ４により各々切り換えられる。この４個の選択信号Ｓ１〜Ｓ４は、フレキシブル回路基板３００を介して駆動用集積回路２００の制御回路４０から供給される。ここで、例えば１個の選択信号Ｓ１がアクティブレベル、他の３個の選択信号Ｓ２〜Ｓ４が非アクティブレベルである場合には、デマルチプレクサー５７［ｊ］（ｊ＝１〜Ｊ）に各々属するＪ個のスイッチ５８［１］のみがＯＮとなる。従って、デマルチプレクサー５７［ｊ］（ｊ＝１〜Ｊ）の各々は、Ｊ本の信号線１５上の画像信号Ｄ［１］〜Ｄ［Ｊ］を各配線ブロックＢ[１]〜Ｂ[Ｊ]の１番目の信号線１４に各々出力する。以下、同様にして、Ｊ本の信号線１５上の画像信号Ｄ［１］〜Ｄ［Ｊ］を各配線ブロックＢ[１]〜Ｂ[Ｊ]の２番目、３番目、４番目の信号線１４に各々出力する。
【００３６】
制御回路４０は、フレームメモリを備えており、画素部１０の解像度に相当するＭ×Ｎビットのメモリ空間を少なくとも有し、外部の装置から入力される表示データをフレーム単位で格納・保持する。ここで、画素部１０の階調を規定する表示データは、一例として、６ビットで構成される６４階調データである。フレームメモリより読み出された表示データは、６ビットのバスを介して、表示データ信号としてデータ線駆動回路３０にシリアルに転送される。なお、この表示データ信号には、後述するプリチャージ信号も含まれている。
尚、制御回路４０は、少なくとも１ライン分のラインメモリを備える構成であってもよい。この場合、前記ラインメモリに、１ライン分の表示データを蓄えて、当該表示データを各画素に転送する。
【００３７】
データ線駆動回路３０は、走査線駆動回路２２と協働して、データの書込対象となる画素行毎に供給すべきデータを信号線１４に出力する。データ線駆動回路３０は、制御回路４０から出力される選択信号Ｓ１〜Ｓ４に基づいてラッチ信号を生成し、シリアルデータとして供給されたＮ個の６ビットの表示データ信号を順次ラッチする。表示データ信号は、４画素分ごとに時系列的なデータとしてグループ化される。また、データ線駆動回路３０には、Ｄ／Ａ（Digital to Analog）変換回路が備えられており、グループ化されたデジタルデータをＤ／Ａ変換し、アナログデータとしての電圧を生成する。これにより、プリチャージ信号は所定のプリチャージ電圧Ｖｐｒｅに変換され、４画素単位で時系列化された表示データ信号も所定のデータ電圧に変換される。そして、プリチャージ電圧と４画素分のデータ電圧とのセットは、この順序で各信号線１５に供給される。
【００３８】
デマルチプレクサー５７［ｊ］（ｊ＝１〜Ｊ）の各スイッチ５８［１］〜５８［４］は、制御回路４０から出力される選択信号Ｓ１〜Ｓ４によって導通制御され、所定のタイミングでＯＮしていく。これによって、１Ｈにおいて、各信号線１５に供給されたプリチャージ電圧と４画素分のデータ電圧とのセットは、スイッチ５８［１］〜５８［４］により時系列的に信号線１４に出力される。
以上が電気光学装置１の構成である。
【００３９】
図４に駆動用集積回路２００のタイミングチャートを示す。制御回路４０に外部の装置から水平同期信号Ｈｓが入力されると、制御回路４０は水平同期信号Ｈｓに同期させて走査線駆動回路２２を駆動する。走査線駆動回路２２は、１フレーム（１Ｆ）周期のＹ転送開始パルスＤＹに対応する信号を、Ｙクロック信号ＣＬＹに従って順次シフトして走査信号Ｇ［１］、Ｇ［２］、…Ｇ［ｎ］を生成する。走査信号Ｇ［１］、Ｇ［２］、…Ｇ［ｎ］は各水平走査期間（１Ｈ）において順次アクティブとなる。データ線駆動回路３０は、水平走査周期のＸ転送開始パルスＤＸ（図示せず）とＸクロック信号ＣＬＸ（図示せず）に基づいて、サンプリングパルスＳＰ１、ＳＰ２、…ＳＰｚ（図示せず）を生成する。そして、データ線駆動回路３０は、画像信号ＶＩＤ１〜ＶＩＤｊ（図示せず）をサンプリングパルスＳＰ１、ＳＰ２、…ＳＰｚ（図示せず）を用いてサンプリングして画像信号Ｄ[１]〜Ｄ[j]を生成する。
【００４０】
なお、制御回路４０は、２Ｄ表示の場合には、フレーム周波数を第１の周波数である１２０Ｈｚに切り替えて走査線駆動回路２２とデータ線駆動回路３０を駆動させ、３Ｄ表示の場合には、フレーム周波数を第１の周波数である２４０Ｈｚに切り替えて走査線駆動回路２２とデータ線駆動回路３０を駆動させる。
【００４１】
制御回路４０は、水平同期信号Ｈｓに同期させて選択信号Ｓ１〜Ｓ４をデータ線駆動回路３０と各デマルチプレクサー５７［ｊ］（ｊ＝１〜Ｊ）の４個のスイッチ５８［１］〜５８［４］に出力する。データ線駆動回路３０は、出力端子ｄ１〜ｄjから信号線１５に画像Ｄ[１]〜Ｄ[j]を出力する。各デマルチプレクサー５７［ｊ］（ｊ＝１〜Ｊ）の４個のスイッチ５８［１］〜５８［４］は、選択信号Ｓ１〜Ｓ４に基づいてＯＮ／ＯＦＦされ、プリチャージ信号を含む画像信号Ｄ[１]〜Ｄ[j]が信号線１４に各々出力される。
【００４２】
本実施形態では、２Ｄ表示を行う場合と、３Ｄ表示を行う場合とで、選択信号Ｓ１〜Ｓ４の駆動方式を切り替えるように構成されている。以下、それぞれの駆動方式について詳しく説明する。
【００４３】
（２Ｄ表示の場合）
まず、２Ｄ表示を行う場合の選択信号の駆動方式について説明する。図４に示すように、制御回路４０は、走査信号Ｇ［１］がアクティブとなるタイミングｔ０から所定時間後のタイミングｔ１において、選択信号Ｓ１〜Ｓ４を一斉にアクティブとし、期間Ｔ０にわたって選択信号Ｓ１〜Ｓ４のアクティブ状態を維持する。この際、画像信号Ｄ[１]〜Ｄ[j]はプリチャージ電圧Ｖｐｒｅに設定されるので、信号線１４および画素にはプリチャージ電圧Ｖｐｒｅが書き込まれることになる。
【００４４】
制御回路４０は、タイミングｔ２において選択信号Ｓ１〜Ｓ４を非アクティブとした後、所定時間後のタイミングｔ４において選択信号Ｓ１をアクティブとし、期間Ｔ１後のタイミングｔ５において選択信号Ｓ１を非アクティブとする。
【００４５】
制御回路４０は、タイミングｔ５において選択信号Ｓ１を非アクティブにすると共に、選択信号Ｓ２をアクティブとする。そして、期間Ｔ２後のタイミングｔ６において選択信号Ｓ２を非アクティブとする。
【００４６】
制御回路４０は、タイミングｔ６において選択信号Ｓ２を非アクティブにすると共に、選択信号Ｓ３をアクティブとする。そして、期間Ｔ３後のタイミングｔ７において選択信号Ｓ３を非アクティブとする。
【００４７】
制御回路４０は、タイミングｔ７において選択信号Ｓ３を非アクティブにすると共に、選択信号Ｓ４をアクティブとする。そして、期間Ｔ４後のタイミングｔ８において選択信号Ｓ４を非アクティブとする。
【００４８】
このように、フレーム周波数を１２０Ｈｚに設定する２Ｄ表示の場合には、選択信号Ｓ１〜Ｓ４のそれぞれがアクティブになる期間が重複しないように駆動されるので、時間的に後に画像信号が供給される信号線１４に対応する画素が、時間的に先に画像信号が供給される信号線１４に対応する画素の電位の影響を受けることがないので、高画質の表示が行われることになる。
【００４９】
（３Ｄ表示の場合）
次に、３Ｄ表示を行う場合の選択信号の駆動方式について説明する。図５に示すように、制御回路４０は、走査信号Ｇ［１］がアクティブとなるタイミングｔ０から所定時間後のタイミングｔ１において、選択信号Ｓ１〜Ｓ４を一斉にアクティブとし、期間Ｔ０にわたって選択信号Ｓ１〜Ｓ４のアクティブ状態を維持する。この際、画像信号Ｄ[１]〜Ｄ[j]はプリチャージ電圧Ｖｐｒｅに設定されるので、信号線１４および画素にはプリチャージ電圧Ｖｐｒｅが書き込まれることになる。
【００５０】
制御回路４０は、タイミングｔ２において選択信号Ｓ１〜Ｓ４を非アクティブとした後、所定時間後のタイミングｔ３において、選択信号Ｓ１をアクティブとする。２Ｄ表示の場合には、図４に示すように、タイミングｔ３よりも遅いタイミングｔ４において選択信号Ｓ１をアクティブとしていたが、３Ｄ表示の場合には、タイミングｔ４よりも早いタイミングｔ３において選択信号Ｓ１をアクティブとする。その結果、選択信号Ｓ１がアクティブとなる期間は、図４に示す２Ｄ表示の場合の期間Ｔ１よりも長く、図５に示すように期間Ｔ５となる。
【００５１】
同様に、制御回路４０は、タイミングｔ５において選択信号Ｓ１を非アクティブとするが、タイミングｔ５の所定時間前のタイミングｔ４において、選択信号Ｓ２をアクティブとする。２Ｄ表示の場合には、図４に示すように、タイミングｔ４よりも遅いタイミングｔ５において選択信号Ｓ２をアクティブとしていたが、３Ｄ表示の場合には、タイミングｔ５よりも早いタイミングｔ４において選択信号Ｓ２をアクティブとする。その結果、選択信号Ｓ２がアクティブとなる期間は、図４に示す２Ｄ表示の場合の期間Ｔ２よりも長く、図５に示すように期間Ｔ７となる。また、選択信号Ｓ１および選択信号Ｓ２をこのように制御するため、選択信号Ｓ１と選択信号Ｓ２の両方がアクティブとなる重複期間Ｔ６が生じることになる。
【００５２】
以下同様に、制御回路４０は、タイミングｔ５において選択信号Ｓ３をアクティブとするため、選択信号Ｓ３がアクティブとなる期間は、図４に示す２Ｄ表示の場合の期間Ｔ３よりも長く、図５に示すように期間Ｔ９となる。その結果、選択信号Ｓ２と選択信号Ｓ３の両方がアクティブとなる重複期間Ｔ８が生じることになる。また、制御回路４０は、タイミングｔ６において選択信号Ｓ４をアクティブとするため、選択信号Ｓ４がアクティブとなる期間は、図４に示す２Ｄ表示の場合の期間Ｔ４よりも長く、図５に示すように期間Ｔ１１となる。その結果、選択信号Ｓ３と選択信号Ｓ４の両方がアクティブとなる重複期間Ｔ１０が生じることになる。
【００５３】
以上のように、本実施形態では、３Ｄ表示の場合には、信号線１４を選択する期間を従来よりも長くしつつ、複数の信号線１４を同時に選択する重複期間を設けるように選択信号を駆動するので、３Ｄ表示を行うためにフレーム周波数を１２０Ｈｚの２倍の２４０Ｈｚとした場合であっても、データ線駆動回路を増設することなく、画素に対する画像信号の印加時間を十分に確保することができる。その結果、電気光学パネル１００の画質を向上させることができる。
【００５４】
＜第２実施形態＞
第１実施形態では、２Ｄ表示を行う場合と３Ｄ表示を行う場合とで、選択信号の駆動方式を切り替える例について説明したが、本実施形態では、室内の明るさに応じて選択信号の駆動方式を切り替えるところが第１実施形態と異なる。
【００５５】
図６は、本実施形態の電気光学装置のブロック図である。図６に示すように、本実施形態の電気光学装置１ａは、電気光学パネル１００および制御回路４０の他に、光源７０と、輝度センサ８０とを備えている。光源７０は、電気光学パネル１００の光源であり、制御回路４０によってその輝度を調節可能に構成されている。輝度センサ８０は、電気光学装置１ａが配置された室内の輝度を検知するセンサである。
【００５６】
制御回路４０は、輝度センサ８０によって検知した前記室内の輝度が所定値以上と判断した場合には、光源７０の輝度を上げるように構成されている。また、制御回路４０は、輝度センサ８０によって検知した前記室内の輝度が所定値に満たないと判断した場合には、光源７０の輝度を下げるように構成されている。さらに、制御回路４０は、光源７０の輝度を上げる場合には、フレーム周波数を１２０Ｈｚから２４０Ｈｚに切り替え、光源７０の輝度を上げる場合には、  輝度を下げる    フレーム周波数を２４０Ｈｚから１２０Ｈｚに切り替えるように構成されている。これは、室内が明るくなると、フリッカが目立ちやすくなるためである。
【００５７】
本実施形態においては、制御回路４０は、フレーム周波数を１２０Ｈｚから２４０Ｈｚに切り替える際には、図５に示すように選択信号Ｓ１~Ｓ４のそれぞれがアクティブになる期間に重複期間が生じるような選択信号の駆動方式を選択し、フレーム周波数を２４０Ｈｚから１２０Ｈｚに切り替える際には、図４に示すように選択信号Ｓ１~Ｓ４のそれぞれがアクティブになる期間に重複期間が生じないように選択信号の駆動方式を選択する。
【００５８】
本実施形態によれば、室内の輝度が所定値に満たないと判断した場合には、光源７０の輝度を下げると共にフレーム周波数を１２０Ｈｚに設定する。この場合には、選択信号Ｓ１〜Ｓ４のそれぞれがアクティブになる期間が重複しないように駆動されるので、時間的に後に画像信号が供給される信号線１４に対応する画素が、時間的に先に画像信号が供給される信号線１４に対応する画素の電位の影響を受けることがないので、高画質の表示が行われることになる。
【００５９】
また、室内の輝度が所定値以上と判断した場合には、光源７０の輝度を上げると共にフレーム周波数を２４０Ｈｚに設定する。この場合には、信号線１４を選択する期間を従来よりも長くしつつ、複数の信号線１４を同時に選択する重複期間を設けるように選択信号を駆動するので、フレーム周波数を１２０Ｈｚの２倍の２４０Ｈｚとした場合であっても、データ線駆動回路を増設することなく、画素に対する画像信号の印加時間を十分に確保することができる。その結果、電気光学パネル１００の画質を向上させることができる。
【００６０】
＜第３実施形態＞
第１実施形態では、プリチャージ信号を印加するタイミングｔ１よりも少し前のタイミングｔ０において、走査信号Ｇ［１］、Ｇ［２］、…Ｇ［ｎ］をアクティブにする例について説明した。しかし、本実施形態では、図７に示すように、プリチャージ信号の印加時には、走査信号Ｇ［１］、Ｇ［２］、…Ｇ［ｎ］を非アクティブのままとし、最初に選択する選択信号をアクティブにするタイミングｔ３よりも少し前のタイミングｔ０’において、走査信号Ｇ［１］、Ｇ［２］、…Ｇ［ｎ］をアクティブにする。
【００６１】
プリチャージ信号の印加の目的の一つは、ＯＦＦ状態となっている画素トランジスタから信号線１４へのリークの影響による表示むらを抑えるものなので、本実施形態のように、プリチャージ信号の印加時において走査信号Ｇ［１］、Ｇ［２］、…Ｇ［ｎ］をＯＦＦ状態にしても、画素トランジスタのリークを抑えることができる。
【００６２】
本実施形態においても、タイミングｔ０’で走査信号Ｇ［１］、Ｇ［２］、…Ｇ［ｎ］をアクティブとした後、選択信号Ｓ１、Ｓ２、Ｓ３、Ｓ４をアクティブとする期間を従来よりも長くし、かつ、複数の信号線１４を同時に選択する重複期間を設けるように選択信号を駆動するので、電気光学パネル１００の解像度を高くした場合であっても、データ線駆動回路を増設することなく、画素に対する画素電圧の印加時間を十分に確保することができる。その結果、電気光学パネル１００の画質を向上させることができる。
【００６３】
＜第４実施形態＞
第１実施形態では、プリチャージ信号の印加するためにタイミングｔ１において選択信号Ｓ１、Ｓ２、Ｓ３、Ｓ４をアクティブとし、その後、一旦、選択信号Ｓ１を非アクティブとしてから、タイミングｔ３において画像信号の印加のために選択信号Ｓ１をアクティブとする例について説明した。本実施形態は、図８に示すように、プリチャージ信号の印加するためにタイミングｔ１において選択信号Ｓ１、Ｓ２、Ｓ３、Ｓ４をアクティブとした後、選択信号Ｓ１のアクティブ状態をそのまま継続し、タイミングｔ５において選択信号Ｓ１を非アクティブとする。
【００６４】
本実施形態によれば、プリチャージ信号の印加開始から、最初に選択される選択信号Ｓ１の選択終了まで、選択信号Ｓ１のアクティブ状態が続くので、選択信号Ｓ１がアクティブとなる期間Ｔ５’は、第１実施形態よりも長くなる。その結果、プリチャージ信号を確実に印加しつつ、画素に対する画素電圧の印加時間をより十分に確保することができ、電気光学パネル１００の画質を向上させることができる。
【００６５】
＜変形例＞
本発明は、上述した各実施形態に限定されるものではなく、例えば、以下に述べる各種の変形が可能である。また、各実施形態及び各変形例を適宜組み合わせてもよいことは勿論である。
【００６６】
（１） 上述した各実施形態においては、選択信号Ｓ１を最初にアクティブとし、その後、選択信号Ｓ２、Ｓ３、Ｓ４の順序でアクティブとする例について説明したが、本発明はこのような例に限定されるものではない。例えば、図９に示すように、選択信号Ｓ４を最初にアクティブとし、その後、選択信号Ｓ１、Ｓ２、Ｓ３の順序でアクティブとしてもよい。この場合には、選択信号Ｓ４と選択信号Ｓ１の重複期間がＴ６、選択信号Ｓ１と選択信号Ｓ２の重複期間がＴ８、選択信号Ｓ２と選択信号Ｓ３の重複期間がＴ１０となる。このようにしても、信号線１４を選択する期間を従来よりも長くしつつ、複数の信号線１４を同時に選択する重複期間を設けるように選択信号を駆動することができる。なお、選択信号をアクティブとする順序はどのような順序であってもよい。
また、１Ｈ期間ごとに順番を入れ替えても良いし、１Ｖ期間ごとに順番を入れ替えても良い。また、１Ｈごとに順番を入れ替えながら１Ｖごとにも入れ替えるような組合せにしても良い。この場合、順番の入れ替えは例えば、１Ｈ目はＳ１，Ｓ２，Ｓ３，Ｓ４、２Ｈ目はＳ２，Ｓ３，Ｓ４，Ｓ１、３Ｈ目はＳ３，Ｓ４，Ｓ１，Ｓ２、４Ｈ目はＳ４，Ｓ１，Ｓ２，Ｓ３、５Ｈ目以降はこれを繰返す。
また、Ｎ本の信号線１４は、相隣接する４本を単位としてＪ個の配線ブロックＢ［１］〜Ｂ［Ｊ］に区分された例で説明していたが、信号線のブロックは相隣接する４本でなくても良く、例えば、２本、３本、５本、６本、７本、８本・・・・・ｎ本（ｎは自然数）としても良い。
また、上述した各実施形態においては、フレーム周波数＝垂直走査周波数とする例を説明したが、複数フィールドで、諧調を表示するサブフィールド駆動などを行う場合は、フレーム周波数＜垂直走査周波数となる。
【００６７】
さらに、選択信号をアクティブとする順序を１水平走査期間ごとに入れ替えたり、１垂直走査期間ごとに入れ替えるようにしてもよい。また、１水平走査期間ごとに選択信号をアクティブとする順序を入れ替えながら、１垂直走査期間ごとにも入れ替えるような組み合わせにしてもよい。選択信号をアクティブとする順序の入れ替えは、例えば、１水平走査期間目は選択信号Ｓ１，Ｓ２，Ｓ３，Ｓ４の順、２水平走査期間目は選択信号Ｓ２，Ｓ３，Ｓ４，Ｓ１の順、３水平走査期間目は選択信号Ｓ３，Ｓ４，Ｓ１，Ｓ２の順、４水平走査期間目は選択信号Ｓ４，Ｓ１，Ｓ２，Ｓ３の順、５水平走査期間目以降はこれを繰り返すようにすればよい。
【００６８】
（２）  Ｎ本の信号線１４は、相隣接する４本を単位としてＪ個の配線ブロックＢ［１］〜Ｂ［Ｊ］に区分された例で説明しているが、信号線のブロックは相隣接する４本でなくても良く２本、３本、５本、６本、７本、8本・・・・・ｎ本（ｎは自然数）としても良い。
【００６９】
（３）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルや、着色された液体と当該液体に分散された白色の粒子とを含むマイクロカプセルを電気光学材料として用いた電気泳動表示パネル、極性が相違する領域ごとに異なる色に塗り分けられたツイストボールを電気光学材料として用いたツイストボールディスプレイパネル、黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００７０】
＜応用例＞
この発明は、各種の電子機器に利用され得る。図１０ないし図１２は、この発明の適用対象となる電子機器の具体的な形態を例示するものである。
【００７１】
図１０は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００７２】
図１１は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００７３】
図１２は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００７４】
なお、本発明が適用される電子機器としては、図１、図１０ないし図１２に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【００７５】
１，１ａ…電気光学装置、１０…画素部、１２…走査線、１４…信号線、１５…信号線、２２…走査線駆動回路、３０…データ線駆動回路、４０…制御回路、５７…デマルチプレクサー、５８…スイッチ、６０…液晶素子、６２…画素電極、６４…コモン電極、６６…液晶、１００…電気光学パネル、２００…駆動用集積回路。
【図１】
2015079173.tif 000003
【図２】
2015079173.tif 000004
【図３】
2015079173.tif 000005
【図４】
2015079173.tif 000006
【図５】
2015079173.tif 000007
【図６】
2015079173.tif 000008
【図７】
2015079173.tif 000009
【図８】
2015079173.tif 000010
【図９】
2015079173.tif 000011
【図１０】
2015079173.tif 000012
【図１１】
2015079173.tif 000013
【図１２】
2015079173.tif 000014